(57)【特許請求の範囲】
【請求項１】
切妻型の屋根の妻側に設置される屋切りパネルを取り付ける屋切りパネル取付構造であって、前記屋切りパネルの裏面には水平方向に対して傾斜した所定の傾斜方向に沿って延びる下地フレームが形成され、前記屋根を支持する束には前記下地フレームを支持する支持部材が前記所定の傾斜方向に応じた姿勢で固着され、前記束は平面視で前記下地フレームを挟んで前記屋切りパネルとは反対側に配置され、前記支持部材は前記下地フレーム側に配置されていることを特徴とする屋切りパネル取付構造。
【請求項２】
請求項１に記載した屋切りパネル取付構造であって、前記所定の傾斜方向は前記屋根の勾配に沿った方向であることを特徴とする屋切りパネル取付構造。
【請求項３】
請求項１または請求項２に記載した屋切りパネル取付構造において、前記下地フレームはその中間部を前記支持部材に支持されていることを特徴とする屋切りパネル取付構造。
【請求項４】
請求項１から請求項３までの何れかに記載した屋切りパネル取付構造において、前記下地フレームにはその軸線方向と直交する支持面が形成され、この支持面が前記支持部材に支持されていることを特徴とする屋切りパネル取付構造。
【請求項５】
請求項１から請求項４までの何れかに記載した屋切りパネル取付構造において、前記支持部材は交差する２面を有するアングル材であり、前記２面の交差部分から遠い側の一対の辺縁が前記束の側面に接触した状態で前記束に固着されていることを特徴とする屋切りパネル取付構造。
【請求項６】
請求項５に記載した屋切りパネル取付構造において、前記支持部材には前記交差する２面と直交する固定面が形成され、この固定面は前記束の側面に沿わされた状態で前記束に固着されていることを特徴とする屋切りパネル取付構造。
【発明の詳細な説明】
【０００１】
【産業上の利用分野】
本発明は屋切りパネル取付構造に関し、住宅用プレハブ建物等の切妻式屋根に利用できる。
【０００２】
【背景技術】
従来より、住宅等の建物の屋根には切妻式や寄棟式等の形式が適宜採用されている。
切妻屋根は、対向する二方向に傾斜した一対の勾配面を有するとともに、他の一対の面（妻面）には下方の建物外壁に略連続した屋切り部分が形成される。
このような切妻屋根を作る際には、先ず建物本体を構築した後、これらの建物本体の上に束を立て、斜材や水平材を組み合わせて小屋組を構築し、この小屋組の上面に複数の屋根面材を取り付けるとともに、屋切り部分に複数の外壁面材を取り付けていた。
【０００３】
ここで、前述した従来の切妻屋根では、屋根面材および屋切り部分の面材を取り付ける前に小屋組を完成しておく必要があり、また屋切り部分に複数の面材を個別に取り付ける必要があり、施工が煩雑で施工効率が低い等という問題があった。
このような問題を解決するべく、本願出願人により、屋切り部分の面材を下地フレームでまとめて屋切りパネルとし、かつこの下地フレームを小屋組の一部に組み込むようにした構造が提案されている（特願平５−３３２２５４号）。
【０００４】
図１３において、この建物は複数の箱形建物ユニット３５を並べて構成された建物本体３１を有するとともに、その上部には切妻式の屋根３６が構成されるものである。
建物本体３１の上面側には、各建物ユニット３５の境界位置に束３２が立てられ、軒先側辺縁部分（屋根３６の勾配下側）には受け金具３３（図１４、図１５参照）が取付られている。これらの束３２および受け金具３３は、各建物ユニット３５のフレーム３８に固定されている。
これらの束３２および受け金具３３に対して複数の屋根パネル３７を取り付けることで屋根３６が形成されている。
【０００５】
図１４にも示すように、屋根の屋切り部分１１は、３枚の屋切りパネル２４Ａ、２４Ｂ、２４Ｃで構成されている。
屋切り部分１１は、全体として上部が傾斜辺縁１２、１３による山形で底辺１４が水平な三角形状であるが、このうち山形の中央部分が中央屋切りパネル２４Ｂ、その両側が端部屋切りパネル２４Ａ、２４Ｃに区画されている。
【０００６】
端部屋切りパネル２４Ａは、２枚の面材１５Ａ、１５Ｂを並べ、傾斜辺縁１２に沿った上部下地フレーム１６および水平な下部下地フレーム１８に取り付けたものである。
上部下地フレーム１６の傾斜下端側は下部下地フレーム１８に接続されており、傾斜上端側は別部材の接合により水平に屈曲されている。
各面材１５Ａ、１５Ｂは各フレーム１６、１８に配置されたＬ型の取付具２１を介してボルト締めにより各フレーム１６、１８に固定されている。
【０００７】
中央屋切りパネル２４Ｂは、３枚の面材１５Ｃ、１５Ｄ、１５Ｅを並べ、それぞれ水平な上部下地フレーム２３および下部下地フレーム２２に取り付けたものである。
各面材１５Ｃ〜１５Ｅも、各フレーム２２、２３に配置されたＬ型の取付具２１を介してボルト締めにより固定されている。
【０００８】
端部屋切りパネル２４Ｃは、２枚の面材１５Ｆ、１５Ｇと、上部下地フレーム１７および水平な下部下地フレーム１９とを有するが、これらは前記端部屋切りパネル２４Ａを対称であり、説明は省略する。
なお、これらの各フレーム１６〜２３は断面コ字型のいわゆるＣ型鋼材であり、屈曲部分は適宜角度に切断したうえ、補強用の鋼板（ダイアフラム）を添えて溶接することで形成されている。
【０００９】
これらの各パネル２４Ａ〜２４Ｃの取り付けは、屋根パネル３７を支持する束３２および受け金具３３を利用して行われている。
図１５にも示すように、端部屋切りパネル２４Ａの傾斜下側（軒先側）の端部には、下部下地フレーム１８の先端にボルト孔４１が形成され、前述した受け金物３３のボルト孔４２を通るボルト４３で締め付け固定される。
反対側の端部屋切りパネル２４Ｃの軒先側の端部も、図示しないが同様に固定される。
【００１０】
図１６にも示すように、各パネル２４Ａ、２４Ｃの棟側および中央屋切りパネル２４Ｂの両側は束３２に固定される。
束３２の側面には、上部および下部の対向する面に各一対づつ、各パネルを受けるための支持部材３４が溶接固定されている。
各支持部材３４は、断面Ｌ型のアングル材であり、束３２から側方へ水平に延びているとともに、上面にはボルト孔４２が形成されている。
【００１１】
端部屋切りパネル２４Ａの上部下地フレーム１６の当該側端部は前述のように水平にされており、この水平部分の上面にはボルト孔４１が形成されている。また、下部下地フレーム１８の当該側端部上面にもボルト孔４１が形成されている。これらの各フレーム１６、１８の水平な端部を、束３２の上下の支持部材３４に載せ、ボルト４３を各ボルト孔４１、４２に挿通させて締め付けることにより、端部屋切りパネル２４Ａの棟側が束３２に取り付けられる。
反対側の端部屋切りパネル２４Ｃの棟側の端部も、図示しないが同様に固定される。
【００１２】
中央屋切りパネル２４Ｂの上下の各下地フレーム２２、２３は、それぞれ端部が水平であり、この端部上面にはボルト孔４１が形成されている。そして、これらの端部を束３２の支持部材３４に載せたうえ、ボルト４３で締め付けることで固定されるようになっている。
【００１３】
このような構成においては、複数の面材１５Ａ〜１５Ｇが、各フレーム１６〜２３に固定されることで３つの屋切りパネル２４Ａ〜２４Ｃにまとめられ、各面材を個別に扱う場合に比べて取り扱いが簡素化できる。
また、各フレーム１６〜２３は、束３２に接続されることで屋根３６の小屋組を構成するものであり、各パネルの取り付けにより同時に小屋組を施工することができるようになり、施工効率を向上することができる。
【００１４】
【発明が解決しようとする課題】
しかし、前述した構成においては、束３２に設けた支持部材３４および各々に支持される各フレーム１６〜２３の端部をそれぞれ水平にしておき、互いに接続するようにしている。
このため、端部屋切りパネル２４Ａ、２４Ｃの上部下地フレーム１６、１７のように傾斜したフレームでは、端部に水平部分を形成しなくてはならない。
【００１５】
このようなフレームに角度をもった端部を形成するには、先ずフレームの主たる部分となる鋼材の先端近傍を斜めに切断し、この部分に短い鋼材を継ぎ足して溶接するという作業が必要である。そして、溶接部分には補強用のプレート等を適宜補う必要も生じる。従って、このような屈曲した端部を有するフレームの形成は煩雑さが避けられない（屈曲施工の煩雑さの問題）。
【００１６】
また、屈曲した端部の継ぎ足しにあたって、フレームの主たる部分となる鋼材の先端近傍を斜めに切断する際の角度によっては、所望の屈曲角度が正確に得られないことがある。また、溶接時に角度がずれる可能性も避けられない。
このような屈曲角度の誤差があると、上部下地フレーム１６、１７として各パネル２４Ａ、２４Ｃに組み込んだ際に、端部が予定通り水平にならず、束３２への接続に支障を来す可能性があった。一方で、精度を高めるためには、施工効率の低下が避けられない（屈曲角度の正確さの問題）。
【００１７】
さらに、屋切りパネル２４Ａ〜２４Ｃは屋根３６の寸法や形状、勾配等に応じて各種必要であり、前述した上部屋根フレーム１６、１７の長さ等はパネルの各種別に応じて準備する必要がある。このとき、これらの上部屋根フレーム１６、１７の屈曲した端部の形成が煩雑であると、全体としての製造工程での労力が相当なものとなり、これを避けようとすると顧客の要求に応じた多品種化を妨げる原因となる（多品種化の問題）。
【００１８】
本発明の目的は、製造を簡略化できるとともに精度を向上できる屋切りパネル取付構造を提供することにある。
【００１９】
【課題を解決するための手段】
本発明は、切妻型の屋根の妻側に設置される屋切りパネルを取り付ける屋切りパネル取付構造であって、前記屋切りパネルの裏面には水平方向に対して傾斜した所定の傾斜方向に沿って延びる下地フレームが形成され、前記屋根を支持する束には前記下地フレームを支持する支持部材が前記所定の傾斜方向に応じた姿勢で固着され、前記束は平面視で前記下地フレームを挟んで前記屋切りパネルとは反対側に配置され、前記支持部材は前記下地フレーム側に配置されていることを特徴とする。
【００２０】
前記所定の傾斜方向は前記屋根の勾配に沿った方向であることが望ましい。前記下地フレームはその中間部を前記支持部材に支持されていることが望ましい。前記下地フレームにはその軸線方向と直交する支持面が形成され、この支持面が前記支持部材に支持されていることが望ましい。
【００２１】
前記支持部材は交差する２面を有するアングル材であり、前記２面の交差部分から遠い側の一対の辺縁が前記束の側面に接触した状態で前記束に固着されているをことが望ましい。
前記支持部材には前記交差する２面と直交する固定面が形成され、この固定面は前記束の側面に沿わされた状態で前記束に固着されていることが望ましい。
【００２２】
【作用】
このような本発明においては、束に固着された支持部材が屋切りパネル裏面の下地フレームの傾斜に応じた姿勢（例えばそれぞれ屋根の勾配に沿った方向）とされているため、下地フレームは傾斜した端部をそのまま支持部材に支持させることができるようになる。
このため、下地フレームには束に接続するための屈曲部分を形成する必要がなく、製造を大幅に簡略化できる。
【００２３】
そして、下地フレームの端部を直線的に連続した状態のまま支持部材に受けるようにできるため、任意の長さのフレームを容易に形成でき、かつ下地フレームの中間部を受けるようにすることもでき、多品種化への対応にも好適である。
さらに、下地フレームの軸線方向に直交する板材等を取り付ける等により支持面を形成すれば、正確な位置決めが行えるようになる。
【００２４】
また、支持部材をアングル材とし、一対の辺縁で束に接触させるようにすれば、所望の姿勢（取り付け角度）が簡単かつ正確に得られるとともに、各辺縁の交差部分からの張り出し長さの調整によって角度の設定や変更等を容易に行うことができる。
さらに、アングル材による支持部材に固定面を形成すれば、束への固定強度を高めることができるとともに、束に固定する際の位置精度をも高めることができる。
【００２５】
【実施例】
以下、本発明の実施例を図面に基づいて説明する。
図１から図６までの各図には、本発明の第一実施例が示されている。
なお、本実施例は、前述した図１３〜図１６の従来例と同様な部分を含み構成されたものであり、同様の部分については簡略化のため同符号をつけて説明を省略し、以下には異なる部分について説明する。
なお、異なる部分とは、端部および中央の屋切りパネル２４Ａ〜２４Ｃの上部下地フレームと、束３２の上部の支持部材と、これらの接続構造（図１、図２参照）である。
【００２６】
図１、図２、図３に示すように、端部屋切りパネル２４Ｃの上部下地フレーム５１は、屋根の勾配に沿って傾斜したＣ型鋼材であり、傾斜上側端部が中間部から直線的に連続して延びている。
上部下地フレーム５１の傾斜上側の端部近傍には、その断面Ｃ型の内側に上部下地フレーム５１の軸線方向と直交する方向に沿って支持鋼板５２が溶接固定され、その表面が支持面となっている。支持鋼板５２には２本のボルト５３が挿通されるボルト孔が形成されている。
なお、反対側の端部屋切りパネル２４Ａは左右対称であるが端部屋切りパネル２４Ｃと同様に構成される。
【００２７】
図１、図２、図４に示すように、中央屋切りパネル２４Ｂの上部下地フレーム６１は、２本のＣ型鋼材を山形に接合したものであり、各側の鋼材は端部屋切りパネル２４Ｃの上縁に沿って屋根の勾配に沿って傾斜した状態で配置され、各々の傾斜下側端部は中間部から直線的に連続して延びている。
上部下地フレーム６１の傾斜下側の端部近傍には、その断面Ｃ型の内側に上部下地フレーム６１の軸線方向と直交する方向に沿って支持鋼板６２が溶接固定され、その表面が支持面となっている。支持鋼板６２には２本のボルト６３が挿通されるボルト孔が形成されている。
【００２８】
図１、図２、図５、図６に示すように、束３２の上部側面には、端部屋切りパネル２４Ｃ（２４Ａ）の上部下地フレーム５１を支持する支持部材５４と、中央屋切りパネル２４Ｂの上部下地フレーム６１を支持する支持部材６４とが設けられている。
なお、束３２の上端近傍には屋根パネルを受ける屋根パネル支持部材３２Ａが溶接されている。屋根パネルは屋根パネル支持部材３２Ａの上面の傾斜に沿った方向に勾配を有するものである。
【００２９】
支持部材５４、６４は、断面Ｌ字型のアングル鋼材であり、上部下地フレーム５１、６１のＣ型の内側に挿入可能な寸法である。
支持部材５４、６４の一方の端部側には、その断面Ｌ字の内側に支持部材５４、６４の軸線方向と直交する方向に沿って固定鋼板５５、６５が溶接固定され、その表面が固定面となっている。
支持部材５４、６４の他方の端部寄りには一方の面に前述したボルト５３、６３が挿通されるボルト孔５６が形成されている。
【００３０】
支持部材５４、６４は固定鋼板５５、６５を束３２の各パネル２４Ｃ、２４Ｂに面した側の側面に密着させて溶接するとともに、隣の側面にアングルの上下辺縁を密接させて溶接されている（図５の斜線部分が溶接部分となる）。
この際、支持部材５４、６４のＬ字をなす２面の互いの交差部分からの長さをＬ１、Ｌ２とし、ボルト孔５６が形成された面が水平方向に対してなす角度をＳとするとｔａｎＳ＝Ｌ１／Ｌ２となる。このＬ１、Ｌ２は、角度Ｓが屋根の勾配角度に合うように設定され、これにより支持部材５４、６４のボルト孔５６が形成された面は屋根勾配に直交する方向とされ、前述した支持鋼板５２、６２と同じ姿勢とされている。
【００３１】
このような本実施例においては、工場において屋切りパネル２４Ａ〜２４Ｃおよび束３２を製造する。この際、各パネル２４Ａ〜２４Ｃの上部下地フレーム５１、６１には支持鋼板５２、６２を溶接固定しておき、束３２には支持部材５４、６４を溶接固定しておく。
次に、建設現場において、屋切りパネル２４Ａ〜２３Ｃを屋根の屋切り部分に配置すると、各々の上部下地フレーム５１、６１には支持鋼板５２、６２が束３２の支持部材５４、６４に対向されるので、各々のボルト孔にボルト５３、６３で挿通して締め付けることで当該部分の接続が行われる。他の部分の接続は前記図１５、図１６と同様に行う。
【００３２】
このような本実施例によれば、束３２に固着された支持部材５４、６４が屋切りパネル２４Ａ〜２４Ｃ裏面の下地フレーム５１、６１と同様に屋根の勾配に沿った方向とされているため、下地フレーム５１、６１は傾斜した端部をそのまま支持部材５４、６４に接合することができる。
このため、下地フレーム５１、６１には束３２に接続するための屈曲部分を形成する必要がなく、従来の水平な屈曲部分を形成する場合に比べて製造を大幅に簡略化できる。
【００３３】
そして、下地フレーム５１、６１の端部を直線的に連続した状態のまま支持部材５４、６４に受けるようにできるため、任意の長さのフレーム５１、６１を容易に形成でき、多品種化への対応にも好適である。
さらに、下地フレーム５１、６１の軸線方向に直交する支持鋼板５２、６２を取り付ける等により支持面を形成し、支持部材５４、６４と前記軸線と直交方向に突き当ててボルト締め固定するようにしたため、正確な位置決めを行うことができる。
【００３４】
また、支持部材５４、６４をアングル材とし、一対の辺縁で束に接触させるようにしたため、所望の姿勢（取り付け角度）を簡単かつ正確に得ることができる。そして、各辺縁の交差部分からの張り出し長さＬ１、Ｌ２の調整によって角度Ｓの設定や変更等を容易に行うことができ、束３２および支持部材５４、６４の製造を精度よくかつ効率よく行うことができる。
【００３５】
さらに、アングル材による支持部材５４、６４に固定鋼板５５、６５を設けて固定面を形成したため、束３２への固定強度を高めることができるとともに、束に固定する際の位置精度をも高めることができる。
【００３６】
なお、前記第一実施例において、支持部材には固定鋼板を設けて位置出しを行ったが、切欠き等で係止させるようにして位置出しを行ってもよい。
図７において、支持部材５７は前記実施例と同様なアングル鋼材であり、同様なボルト孔５６を有するが、固定鋼板は設けられていない。
支持部材７５の束３２側には、上下角部に切欠き５８が形成され、これらを束３２の角部に合わせ、切欠き５８の内周の辺縁５８Ａ、５８Ｂを束３２の側面に密接させて溶接固定されるようになっている。
【００３７】
このような支持部材５７では、各辺縁５８Ｂにより束３２に対する位置決めが行われ、支持部材５７の２面交差部分から各辺縁５８Ａまでの張り出し長さＬ１、Ｌ２により支持部材５７の角度調整が行われる。
従って、このような支持部材５７を利用しても、前記第一実施例と同様な効果が得られるとともに、固定鋼板５５、５６の溶接が必要なくなるため、製造を更に容易にできる。
【００３８】
前記第一実施例は、前述した図１３〜図１６に示した屋切り部分を３分割した屋切りパネル２４Ａ〜２４Ｃに関するものであったが、本発明は他の部分における束３２による屋切りパネルの支持にも適用できる。
【００３９】
図８から図１２までの各図には本発明の第二実施例が示されている。
図８において、屋根７０の屋切り部分は３枚の屋切りパネル７１Ａ、７１Ｂ、７１Ｃで構成されているが、束３２による支持は屋切りパネル７１Ａ、７１Ｂの分割部分７２Ａ、屋切りパネル７１Ｂ、７１Ｃの分割部分７２Ａ（棟頂上部分）、屋切りパネル７１Ｃの中間部分７２Ｃ、屋切りパネル７１Ｂの中間部分７２Ｄで行われている。
【００４０】
このうち、分割部分７２Ａにおける各パネル７１Ａ、７１Ｂの支持は前記第一実施例と同様である。
一方、棟部の分割部分７２Ｂにおける支持は図９および図１０のように行われ、中間部分７２Ｄにおける支持は図１１および図１２のように行われている。
なお、中間部分７２Ｃは中間部分７２Ｄと左右対称であるが同様である。
【００４１】
図９および図１０において、屋切りパネル７１Ｂは面材７３Ｂと上部支持フレーム７４Ｂを備え、屋切りパネル７１Ｃは面材７３Ｃと上部支持フレーム７４Ｃを備えている。
束３２は、上部に両側一対の屋根パネル支持部材３２Ａを備えるとともに、そのやや下方に両側一対の支持部材５４を備えている。これらは互いに同じ角度だが逆向きの傾斜とされ、これにより棟部に対応するようになっている。
【００４２】
これらの支持部材５４および屋根パネル支持部材３２Ａは、それぞれ前述した図１および図２の屋切りパネル２４Ｃを受ける側（図中左側）と同じものであり、互いに同じものを束３２の両側に設置したものである。
なお、支持部材５４等の詳細については前記第一実施例と同様であるため簡略化のため同じ符号をつけて説明は省略する。
但し、支持部材５４の固定鋼板５５は互いに重ならないように一部カットされている。
【００４３】
図１１および図１２において、屋切りパネル７１Ｂは面材７３Ｂと上部支持フレーム７４Ｂを備えている。
束３２は、上部に両側一対の屋根パネル支持部材３２Ａ、３２Ｂを備えるとともに、そのやや下方に支持部材６４を備えている。
【００４４】
これらの支持部材５４および図中左側の屋根パネル支持部材３２Ａは、それぞれ前述した図１および図２の屋切りパネル２４Ｃを受ける側（図中左側）と同じものであり、前記第一実施例の束３２から支持部材５４を除き、図中右側の屋根パネル支持部材３２Ｂを追加したものである。
【００４５】
屋根パネル支持部材３２Ｂは、同部材３２Ａより上面が高い位置とされ、かつ同部材３２Ａの上面と同一面となるように形成され、これにより連続した屋根パネルの途中部分が受けられるようになっている。
なお、支持部材６４等の詳細については前記第一実施例と同様であるため簡略化のため同じ符号をつけて説明は省略する。
【００４６】
このような本実施例によれば、屋切りパネル上部の各支持部分７２Ａ〜７２Ｄにおいて前記第一実施例と同様の効果を得ることができる。
特に、本実施例では、棟部の分割部分７２Ｂにおいても前記第一実施例と同様の効果を得ることができる。
【００４７】
また、分割されない中間部分７２Ｃ、７２Ｄにおいても束３２による支持を行うことができる。このような中間部分の支持は、傾斜した下地フレームに水平部分を設ける前記図１３〜図１６の従来形式では対応できないものである。
これらにより、本実施例によって多様な部分での束による支持が可能となり、屋切りパネルの分割パターンの自由度を向上できるという効果がある。
【００４８】
なお、本発明は前記各実施例に限定されるものではなく、本発明の目的を達成できる範囲内での変形等は本発明に含まれるものである。
例えば、各部の材質、寸法、細部形状等は、実施にあたって適宜選択すればよい。
また、各部の固着等は溶接に限らず、接着やボルト締め等であってもよい。そして、前記実施例でボルト締めした部分はクリップ等による他の締結手段を採用してもよい。
そして、本発明は各種形式の建物の屋切り部分に適用でき、適用する建物としては軸組パネルやパネルモノコック等の箱形建物ユニット方式、木質パネル方式等のプレハブ建物に利用することができる。
【００４９】
【発明の効果】
このような本発明によれば、束に固着された支持部材が屋切りパネル裏面の下地フレームの傾斜に応じた姿勢（例えばそれぞれ屋根の勾配に沿った方向）とされているため、下地フレームは傾斜した端部をそのまま支持部材に支持させることができる。
このため、下地フレームには束に接続するための屈曲部分を形成する必要がなく、製造を大幅に簡略化することができる。
【００５０】
そして、下地フレームの端部を直線的に連続した状態のまま支持部材に受けるようにできるため、任意の長さのフレームを容易に形成でき、かつ下地フレームの中間部を受けるようにすることもでき、多品種化への対応にも好適である。
さらに、下地フレームの軸線方向に直交する板材等を取り付ける等により支持面を形成することで、正確な位置決めを行うことができる。
【００５１】
また、支持部材をアングル材とし、一対の辺縁で束に接触させることで、所望の姿勢（取り付け角度）が簡単かつ正確に得られるとともに、各辺縁の交差部分からの張り出し長さの調整によって角度の設定や変更等を容易に行うことができる。
さらに、アングル材による支持部材に固定面を形成することで、束への固定強度を高めることができるとともに、束に固定する際の位置精度をも高めることができる。
【図面の簡単な説明】
【図１】本発明の第一実施例の要部を示す平面図。
【図２】前記第一実施例の要部を示す側面図。
【図３】前記第一実施例の端部屋切りパネルを示す側面図。
【図４】前記第一実施例の中央屋切りパネルを示す側面図。
【図５】前記第一実施例の支持部材を示す分解斜視図。
【図６】前記第一実施例の支持部材を示す側面図。
【図７】前記第一実施例の支持部材の変形例を示す斜視図。
【図８】本発明の第二実施例を示す概略側面図。
【図９】前記第二実施例の棟部接続を示す平面図。
【図１０】前記第二実施例の棟部接続を示す側面図。
【図１１】前記第二実施例の中間部接続を示す平面図。
【図１２】前記第二実施例の中間部接続を示す側面図。
【図１３】従来の屋根を示す分解斜視図。
【図１４】従来の屋切り部分を示す分解斜視図。
【図１５】従来の屋切り部分の軒側端部を示す分解斜視図。
【図１６】従来の屋切りパネルの取付構造を示す分解斜視図。
【符号の説明】
２４Ａ、２４Ｂ、２４Ｃ  屋切りパネル
３２  束
５１、６１  傾斜した下地フレーム
５２、６２  支持面を構成する支持鋼板
５４、６４  支持部材
５５、６５  固定面を構成する固定鋼板
７１Ａ、７１Ｂ、７１Ｃ  屋切りパネル
７４Ａ、７４Ｂ、７４Ｃ  傾斜した下地フレーム
【図１】
0003696286.tif 000002
【図２】
0003696286.tif 000003
【図３】
0003696286.tif 000004
【図４】
0003696286.tif 000005
【図５】
0003696286.tif 000006
【図６】
0003696286.tif 000007
【図７】
0003696286.tif 000008
【図８】
0003696286.tif 000009
【図９】
0003696286.tif 000010
【図１０】
0003696286.tif 000011
【図１１】
0003696286.tif 000012
【図１２】
0003696286.tif 000013
【図１３】
0003696286.tif 000014
【図１４】
0003696286.tif 000015
【図１５】
0003696286.tif 000016
【図１６】
0003696286.tif 000017